(57)【要約】【課題】  従来型のホワイトボードや黒板等の描画ボードを描画装置として使用しつつ、利用者が注意を払う必要がある領域を広げることなく、コンピュータ内部などに保存されている情報を表示・参照することを可能にする。【解決手段】  パネルディスプレイ型表示装置１００を、パネルディスプレイ部１０１と、当該パネルディスプレイ部１０１の表示領域が描画ボード３０１の描画領域の一部に重なるように、パネルディスプレイ部１０１を描画ボード３０１に取り付ける取り付け手段を備え、描画ボード面と取り付け手段の接触によって発生する摩擦力を用いてパネルディスプレイ部１０１を描画ボード３０１に保持する構成とする。【選択図】  図３
2011076307.tif 000002
【特許請求の範囲】
【請求項１】
パネルディスプレイ部と、当該パネルディスプレイ部の表示領域が描画ボードの描画領域の一部に重なるように、前記パネルディスプレイ部を前記描画ボードに取り付ける取り付け手段を備え、
前記描画ボード面と前記取り付け手段の接触によって発生する摩擦力を用いて前記パネルディスプレイ部を前記描画ボードに保持する構成としたことを特徴とするパネルディスプレイ型表示装置。
【請求項２】
前記取り付け手段が、前記パネルディスプレイ部の背面側上部に設けられ、前記前記描画ボード上部に前記パネルディスプレイ部を引っ掛けるための略コ字型のフック形状であることを特徴とする請求項１に記載のパネルディスプレイ型表示装置。
【請求項３】
前記取り付け手段に、前記描画ボードを背面から挟みこんで締め付ける固定ネジ部を設けたことを特徴とする請求項２に記載のパネルディスプレイ型表示装置。
【請求項４】
前記取り付け手段が、前記パネルディスプレイ部の背面側に横向きに設けられ、前記描画ボードの側面部を挟み込む略コ字型形状であり、前記描画ボードを背面から締め付ける固定ネジ部を備えることを特徴とする請求項１に記載のパネルディスプレイ型表示装置。
【請求項５】
前記取り付け手段が、前記描画ボードを挟み込んで取り付けるためのクリップであることを特徴とする請求項１に記載のパネルディスプレイ型表示装置。
【請求項６】
前記取り付け手段に、前記パネルディスプレイ部を前記描画ボードに磁力で保持するための磁石を設けたことを特徴とする請求項１に記載のパネルディスプレイ型表示装置。
【請求項７】
表示内容を操作するための入力手段を備えることを特徴とする請求項１から請求項６の何れかに記載のパネルディスプレイ型表示装置。
【請求項８】
前記入力手段が、前記表示領域への接触を検出するタッチパネル機能であることを特徴とする請求項７に記載のパネルディスプレイ型表示装置。
【請求項９】
前記タッチパネル機能が、指の接触のみを検出しボードマーカーなどの手書き描画具の接触を検出しないことを特徴とする請求項８に記載のパネルディスプレイ型表示装置。
【請求項１０】
前記入力手段が、前記描画ボードへ取り付け手段を備えるキーボード装置であることを特徴とする請求項７に記載のパネルディスプレイ型表示装置。
【発明の詳細な説明】
【技術分野】
【０００１】
本発明は、パネルディスプレイ型表示装置に関し、特にホワイトボード等の描画ボード上に設置可能としたパネルディスプレイ型表示装置に関する。
【背景技術】
【０００２】
オフィスワーカーの知的生産性向上に向けて、現在さまざまな取り組みが行われている。知的生産活動の根幹をなすアイディア創出作業においては、複数の人間が集まって対面（Ｆａｃｅ  ｔｏ  Ｆａｃｅ）で知恵を出し合うブレインストーミングなどが有効であると言われている。
【０００３】
アイディアを形にしていくプロセスにおいては、図などを描くことで頭の中にあるアイディアを外部に表現することが重要であると言われており、個人作業の場合は主にノートが、複数人での作業の場合はホワイトボードが用いられることが多い。
【０００４】
また、ネットワークやコンピュータの進展により、ブレインストーミングを行っている時等において、その場にあるコンピュータ内部に保存されている情報や、ネットワーク上のサーバに置いてある情報を、プロジェクタや液晶ディスプレイなどを接続したコンピュータを用いて参照することがしばしば行われるようになっている。
【０００５】
そのため、上述したような複数人での作業においては、通常のペンで書き込みを行うホワイトボードと、コンピュータを接続して情報表示を行う表示装置を同時に利用し、プロジェクタやディスプレイ等の表示装置にコンピュータの情報を表示する一方、ホワイトボードに書き込みを行う形態が一般的である。
【０００６】
ホワイトボードと情報表示のための表示装置を同時に利用する具体的な例としては、部屋の一方の壁際にプロジェクタやディスプレイで情報を表示し、反対側の壁際にホワイトボードを設置するケースや、プロジェクタやディスプレイの隣にホワイトボードを置くケースが考えられる。あるいは、情報表示は机上にあるノートＰＣを使うケースもある。
【０００７】
しかし、上述した方法では、ホワイトボードと情報表示が別の位置になされることから、作業者の注意や集中力が分散されるという問題点があった。
【０００８】
このような場合、情報の表示領域に直接書き込みができるようになれば、表示されている情報と同じ、もしくは近接した領域に電子ペンで書き込みを行うことで、ディスプレイを見ている人の注意や集中が分散されずに情報表示と描画を行うことができるという重要なメリットがある。
【０００９】
そこで、上述した問題点を解決する関連技術の一例が、特許文献１及び特許文献２に開示されている。
【００１０】
特許文献１では、表示装置である液晶ディスプレイやリアプロジェクション型ディスプレイに電子ペン等による描画機能を付加し、該電子ペン等によって描画した図形等を表示装置に表示する技術が開示されている。特許文献１に開示の技術は、情報の表示と書き込みが同一領域にでき生徒の集中をそがずに済むという理由から、教育現場等での普及が進んでいる。
【００１１】
一方、特許文献２では、ホワイトボードとプロジェクタを組み合わせ、ホワイトボード上にプロジェクタで表示（投影）を行う装置を用いることで、ホワイトボード上にコンピュータを用いた情報を表示する技術が開示されている。なお、特許文献２に開示の技術は、プロジェクタおよびスクリーンを一体化した装置に関する特許であるが、スクリーンがホワイトボード機能を備える構成についても記載がある。
【００１２】
特許文献１に開示されている装置が実現している、表示領域と描画領域を近接させることで参加者の注意や集中が分散されないようにする、という点は教育現場だけでなくブレインストーミングを行うような場においても非常に重要である。
【００１３】
一方で、特許文献１に記載の装置においては、手書きでの書き込みを行う際に電子ペンを用いる必要があり、利用者がその操作方法を覚える必要があるという問題がある。さらに、電子ペンの操作方法は、メーカーによって違うことも通常であり、場合によって利用者は複数種類の操作を覚える必要がある。
【００１４】
前述のような教育現場においては、教師は事前に使い方を学んでおくため、使い方がわからないという問題が発生する可能性は低いが、企業内の会議室などでブレインストーミングを行う場合には、必ずしも操作方法を知っているメンバが参加しているとは限らず、操作方法を調べる時間などが必要になるという課題がある。
【００１５】
これに対して、インクペンを用いる従来型のホワイトボードは、ペンを使って書けばよいという非常によく知られた操作方法で描画を行うことができるため、上述したような操作方法に関する問題が発生することはない。また、従来型のホワイトボードがすでにある環境においては、描画機能を持つ従来型のホワイトボードがあるにも関わらず新たに描画機能を持つ装置を別途購入する必要があるという点も、費用などの面で問題となる可能性がある。
【００１６】
一方、従来型のホワイトボードと、表示機能を持つ装置（ディスプレイやノートＰＣ）を別々に置いてブレインストーミングを行う際の問題点は、参加者の注意や集中が分散されることである。それまではホワイトボードの描画領域にだけ注意を向けていればよかったのに対して、新たに表示装置の表示領域にも注意を向ける必要があり、注意を払う必要がある領域が増えることになる。また、ディスプレイを置くスペースやノートＰＣを置く机などが新たに必要になるという問題もある。
【００１７】
これに対し、特許文献２に記載の装置や、従来型のホワイトボードにプロジェクタで表示を行う場合には、上述のような注意を払う領域が増えるという課題はない。しかし、プロジェクタ等を用いる場合の課題としては、プロジェクタと投影面であるスクリーンやホワイトボードの間に人体や手などの障害物が入ると表示している内容にその障害物の影が入ってしまうという課題がある。ブレインストーミングにおいて通常行う動作である表示した内容を指で指し示したりすることによっても影ができてしまい利用者の集中が阻害されるという問題がある。また、従来型のホワイトボードはプロジェクタのスクリーンとして設計されているわけではないため、プロジェクタの光源などが写り込んでしまい見づらいという課題もある。
【００１８】
また、非特許文献１に記載されているように、プロジェクタ投影用に表面に特殊な加工を施したホワイトボードも市販されているが、一般的に、プロジェクタは反射光を使って映像を表示しているため、表示領域自体が発光している液晶ディスプレイなどのパネル型ディスプレイよりも明るい部屋などでは見づらいという課題がある。
【００１９】
上述した問題を解決するため、特許文献３に開示されるような、ホワイトボード等の一部に重なるように取り付ける移動可能な表示装置が関連技術として提案されている。特許文献３に開示の技術では、ホワイトボードや黒板等の壁構造にガイド要素を取り付けることで該ホワイトボードや黒板等の一部に重なるように電子ホワイトボードを取り付けることを可能としている。
【先行技術文献】
【特許文献】
【００２０】
【特許文献１】特開２０００−５６７４７号公報
【特許文献２】特許第３８６４０５１号公報
【特許文献３】特表２００７−５２６５３２号公報
【特許文献４】特表２００８−５４６１０１号公報
【非特許文献】
【００２１】
【非特許文献１】ｈｔｔｐ：／／ｗｗｗ．ｏｆｆｉｃｅ−ｏｎｌｉｎｅ．ｃｏ．ｊｐ／ＳＨＯＰ／ＮＫ−ＷＢＳＭＮ１２０９．ｈｔｍｌ
【非特許文献２】ｈｔｔｐ：／／ｗｗｗ．ｖｓｈｏｐｕ．ｃｏｍ／１０１１ＰＵ／ｉｎｄｅｘ．ｈｔｍｌ
【発明の概要】
【発明が解決しようとする課題】
【００２２】
しかし、特許文献３に記載の技術では、ガイド要素をホワイトボードや黒板等の表面のトップ部分に設置しない限り、ガイド要素がホワイトボードや黒板等の描画に邪魔になるという問題があった。
【００２３】
また、特許文献３に記載のガイド要素はボルトや釘、半田等の固定手段によって壁構造の表面に取り付けることとしているため、一度取り付けてしまうと簡単には取り外しできず、取り外したとしても取り付け跡が残ってしまうという問題もあった。
【００２４】
（発明の目的）
本発明の目的は、上述した課題を解決し、従来型のホワイトボードや黒板等の描画ボードを描画装置として使用しつつ、利用者が注意を払う必要がある領域を広げることなく、コンピュータ内部などに保存されている情報を表示・参照することを可能にする表示装置を提供することにある。
【課題を解決するための手段】
【００２５】
本発明の第1のパネルディスプレイ型表示装置は、パネルディスプレイ部と、当該パネルディスプレイ部の表示領域が描画ボードの描画領域の一部に重なるように、パネルディスプレイ部を描画ボードに取り付ける取り付け手段を備え、描画ボード面と取り付け手段の接触によって発生する摩擦力を用いてパネルディスプレイ部を描画ボードに保持する構成とした。
【発明の効果】
【００２６】
本発明によれば、利用者が操作方法を熟知している従来型のホワイトボードや黒板等の描画ボードを描画装置として使用しつつ、利用者が注意を払う必要がある領域を広げることなく、コンピュータ内部などに保存されている情報を表示・参照することができるようになる。
【００２７】
また、本発明によれば、描画装置として既存の従来型のホワイトボードや黒板等の描画ボードを利用することができ、プロジェクタを用いる場合に起こる映像の見づらさが発生しなくなる。
【図面の簡単な説明】
【００２８】
【図１】本発明の第１の実施の形態によるパネルディスプレイ型表示装置の構成図である。
【図２】本発明の第１の実施の形態によるパネルディスプレイ型表示装置を横方向から示した図である。
【図３】本発明の第１の実施の形態によるパネルディスプレイ型表示装置の設置例を示す図である。
【図４】本発明の第２の実施の形態によるパネルディスプレイ型表示装置の構成図である。
【図５】本発明の第２の実施の形態によるパネルディスプレイ型表示装置を上方向から示した図である。
【図６】本発明の第２の実施の形態によるパネルディスプレイ型表示装置の設置例を示す図である。
【図７】本発明の第３の実施の形態によるパネルディスプレイ型表示装置及びキーボードの設置例を示す図である。
【発明を実施するための形態】
【００２９】
次に、本発明の実施の形態について図面を参照して詳細に説明する。
【００３０】
（第１の実施の形態）
図１、図２は、本発明を適用した第１の実施の形態によるパネルディスプレイ型表示装置の構成図である。また、図３は、パネルディスプレイ型表示装置１００を描画ボードの上部に取り付けたイメージを示す図である。
【００３１】
図１、図２を参照すると、本発明の第１の実施の形態に係るパネルディスプレイ型表示装置１００は、表示機能を持つパネルディスプレイ部１０１と、ホワイトボードや黒板等の描画ボード３０１に取り付けるためのボード取り付け部１０２とを有し、ボード取り付け部１０２には、パネルディスプレイ型表示装置１００を描画ボードに固定するための固定ネジ部１０３を備える。
【００３２】
パネルディスプレイ部１０１としては、液晶ディスプレイ、プラズマディスプレイ、有機ＥＬディスプレイ、電子ペーパーなど、任意のパネルディスプレイ型表示装置等を想定している。
【００３３】
また、パネルディスプレイ部１０１には、表示機能に加えて演算処理機能（ＣＰＵ：Ｃｅｎｔｒａｌ  Ｐｒｏｃｅｓｓｉｎｇ  Ｕｎｉｔ）や記憶機能、通信機能、タッチパネル入力機能などを持たせることも可能である。
【００３４】
ボード取り付け部１０２は、パネルディスプレイ部１０１の背面側の上部に取り付けられており、その断面形状は、図２に示すように、描画ボード３０１の上部にパネルディスプレイ型表示装置１００を引っ掛けて取り付けることのできる略コ字型のフック形状に形成されている。
【００３５】
また、ボード取り付け部１０２の奥行き（側面部１０２Ａと１０２Ｂの間隔）は、一般的な描画ボード３０１であるホワイトボードや黒板に、引っ掛けることのできる間隔としている。さらに、ボード取り付け部１０２の幅は、描画ボード３０１の上部に引っ掛けて取り付けた場合に、パネルディスプレイ型表示装置１００を安定して保持することのできる長さとしている。
【００３６】
また、ボード取り付け部１０２の後ろ側の側面部１０２Ｂには、固定ネジ部１０３が設けてあり、この固定ネジ部１０３によってボード取り付け部１０２をクランプのように機能させる構成としている。
【００３７】
固定ネジ部１０３は、図２に示すように、ボード取り付け部１０２の後部側面にねじ込まれたネジ部１０３Ａと、ボード取り付け部１０２を描画ボード３０１に取り付けた際に、描画ボード３０１を裏側から押し付けて固定する押圧部１０３Ｂと、手で回すためのハンドル１０３Ｃを有する。
【００３８】
固定ネジ部１０３については、１つでもよいし、パネルディスプレイ型表示装置１００をより安定して固定するために複数設けてもよい。
【００３９】
なお、パネルディスプレイ部１０１は、ＶＥＳＡ規格に沿ったスタンド取り付け用のネジ穴を持っていることを想定しており、パネルディスプレイ部１０１とボード取り付け部１０２の結合部分は、そのスタンド取り付け用のネジ穴を利用してネジ止めすることを想定している。ただし、このような取り付け方に限定されるものではない。
【００４０】
（第１の実施の形態の動作の説明）
次に、上記のように構成される本実施の形態によるパネルディスプレイ型表示装置１００の動作について図３を用いて説明する。
【００４１】
上述したように、本実施の形態では、ボード取り付け部１０２及び固定ネジ部１０３を用いて、描画ボード３０１の上部にパネルディスプレイ型表示装置１００を取り付ける構成としている。
【００４２】
実際の取り付けにおいては、まず、固定ネジ部１０３を緩めた状態（ボード取り付け部１０２の側面部１０２Ａと押圧部１０３Ｂとの間隔を広げた状態）で、描画ボード３０１の上部に、ボード取り付け部１０２を引っ掛けて取り付ける。次いで、固定ネジ部１０３を締めて、押圧部１０３Ｂを描画ボード３０１側に押し付けて固定する。
【００４３】
これにより、描画ボード３０１の描画領域の一部を表示装置１００による表示領域として使用することができるようになる。
【００４４】
また、パネルディスプレイ型表示装置１００の取り付け位置を変更する場合には、固定ネジ部１０３を緩めて、パネルディスプレイ型表示装置１００を左右所定の位置に移動させて固定ネジ部１０３を締め付ける。
【００４５】
（第１の実施の形態による効果）
次に本実施の形態の効果について説明する。
【００４６】
本実施の形態によれば、フック形状のボード取り付け部１０２及び固定ネジ部１０３を用いて、描画ボード３０１の上部にパネルディスプレイ型表示装置１００を取り付ける構成としたので、ホワイトボード３０１の描画領域の一部を表示領域として使用することができるようになる。
【００４７】
また、特許文献３に記載の関連技術のようなガイド要素をホワイトボードや黒板等の表面のトップ部分に設置しないので、ガイド要素がホワイトボードや黒板等の描画に邪魔になることもない。
【００４８】
またフック形状のボード取り付け部１０２及び固定ネジ部１０３を用いて、描画ボード３０１の上部に取り付ける構成であるので、取り付けと取り外しのが簡単に行うことができ、かつ取り外した場合に取り付け跡が残ることもない。
【００４９】
（第２の実施の形態）
次に、本発明の第２の実施の形態を説明する。第２の実施の形態においては、ボード取り付け部１０２の側面１０２Ａ、１０２Ｂの深さを第１の実施の形態より大きく形成し、ボード取り付け部１０２と描画ボード３０１の接触面積が大きくなるように構成している。これにより、パネルディスプレイ型表示装置１００を描画ボード３０１の上部だけでなく、描画ボード３０１の側面部分に対しても安定してパネルディスプレイ型表示装置を取り付けることができるようにしている。
【００５０】
図４、図５は、本発明を適用した第１の実施の形態によるパネルディスプレイ型表示装置の構成図である。図５は、本発明を適用した第２の実施の形態によるパネルディスプレイ型表示装置１００を上方向から見た図面である。図４においては、描画ボード３０１の側面部分にパネルディスプレイ部１０１を取り付けるために、パネルディスプレイ部１０１に対して横向きにボード取り付け部４０２を取り付けている。
【００５１】
ボード取り付け部４０２は、第１の実施の形態によるボード取り付け部１０２と比較して、側面部４０２Ａの長さ（パネルディスプレイ部１０１の横方向への長さ）を大きくしている。これは、横向きの状態でパネルディスプレイ部１０１を安定に保持するためである。
【００５２】
加えて、側面部４０２Ｂの長さも大きくし、固定ネジ部１０３をパネルディスプレイ部１０１の中央寄りに位置するように側面部４０２Ｂの先端近くに設けている。これも、横向きの状態でパネルディスプレイ部１０１を安定に保持するためである。
【００５３】
また、ボード取り付け部４０２は、パネルディスプレイ部１０１に対する取り付け向きを変えられるように構成することも可能である。すなわち、第１の実施の形態と同じように、パネルディスプレイ部１０１の上部に縦向きに取り付けるようにしてもよい。これにより、本実施の形態によるパネルディスプレイ型表示装置１００を、横向き或いは縦向きの何れかを選択して描画ボードに取り付けることができる。
【００５４】
なお、ボード取り付け部４０２のその他の構成は第１の実施の形態によるボード取り付け部１０２と同様であるため、その詳細については省略する。
【００５５】
なお、本実施の形態によるパネルディスプレイ型表示装置１００は、描画ボード３０１の上部若しくは側面に取り付けることを想定しているため、取り付け向きは、描画ボード３０１の上部に取り付けた場合を基準として左右に９０度の変更ができればよい。取り付け向きについては、パネルディスプレイ部１０１とボード取り付け部４０２の結合部分のネジを外して取り付け角度を変えるだけで容易に取り付け向きを変更することが可能である。ただし、これに限定はされず、例えば、ボード取り付け部４０２の角度変更を容易にするために、パネルディスプレイ部１０１とボード取り付け部４０２との結合部分が回転する構造とすることも可能である。
【００５６】
（第２の実施の形態の動作の説明）
次に、上記のように構成される本実施の形態によるパネルディスプレイ型表示装置１００の動作について図６を用いて説明する。図６は、パネルディスプレイ型表示装置１００を描画ボード３０１の側面に取り付けた状態を示す図である。
【００５７】
上述したように、本実施の形態では、ボード取り付け部４０２及び固定ネジ部１０３を用いて、描画ボード３０１の側面部にパネルディスプレイ型表示装置１００を取り付けることが可能な構成としている。
【００５８】
実際の取り付けにおいては、まず、固定ネジ部１０３を緩めた状態で、描画ボード３０１の側面を、ボード取り付け部４０２で挟み込み、次いで、固定ネジ部１０３を締めて、押圧部１０３Ｂを描画ボード３０１側に押し付けて固定する。これにより、図５に示すように、描画ボード３０１の側面側にパネルディスプレイ型表示装置１００を保持することができる。
【００５９】
なお、ボード取り付け部４０２のパネルディスプレイ部１０１に対する取り付け向きを縦向きとした場合には、第１の実施の形態と同様に、図３に示すような状態で描画ボード３０１に取り付けることも可能である。
【００６０】
（第２の実施の形態による効果）
次に本実施の形態の効果について説明する。
【００６１】
本実施の形態によれば、ホワイトボード取り付け部１０２及びネジ部１０３を用いて、描画ボード３０１の上部のみならず側面にもパネルディスプレイ型表示装置１００を取り付けることが可能な形状としたことにより、第１の実施の形態よりも、パネルディスプレイ型表示装置１００の取り付け可能位置が増える。
【００６２】
なお、上述の第１及び第２の実施の形態においては、描画ボード３０１への取り付け部１０２、４０２を、フック形状でかつ固定ネジ部１０３を有する構成とした例を示したが、描画ボード３０１を挟みこんで取り付ける大型のクリップをパネルディスプレイ部１０１に設けた構造とすることも考えられる。
【００６３】
また、描画ボード３０１の表面やその内部もしくは裏側に鉄板が用いられている場合には、取り付け部１０２、４０２に磁石を設けて、磁力によって安定に取り付ける構成とすることも可能である。
【００６４】
さらに、上述の第１及び第２の実施の形態においては、本発明のパネルディスプレイ型表示装置１００の表示領域に着目して描画ボード等への取り付け方法を説明したが、パネルディスプレイ型表示装置１００に表示される内容は接続されたコンピュータ内部などに保管されている情報である。そのため、表示される情報の選択などを行うためには該コンピュータへの入力操作を行う必要があるが、この入力操作においても、描画ボードを用いたブレインストーミングへの注意や集中を阻害しないことが重要である。
【００６５】
上記コンピュータへの入力操作の最適な方法としては、前述のパネルディスプレイ部１０１にタッチパネル機能を備え、画面への指などの接近もしくは接触を検出することにより、コンピュータを操作する方法が考えられる。この場合、操作者および他の参加者はパネルディスプレイ部１０１のみに注意を払えばよく、パネルディスプレイ部１０１以外へ注意が逸れることを防ぐことができる。
【００６６】
また、上記タッチパネル機能が、ホワイトボードマーカーや黒板消しなどのホワイトボードへの描画を行うための手書き描画具と、タッチ操作を行う指などを区別して検出できるようにするとなお好ましい。タッチパネル機能が、手書き描画具を検出せず、指のみを検出するようにしても構わない。その理由は、ホワイトボードを用いてブレインストーミングを行っている際には、パネルディスプレイ型表示装置１００に表示されている関連情報にホワイトボードマーカーで丸やアンダーラインを引くような使い方をすることが想定されるためである。
【００６７】
すなわち、ホワイトボードマーカーで書き込みを行ったり、その書き込みを黒板消しで消去しようとしたりした際に、タッチパネルが反応して利用者が予期せぬ動作をしてしまうと、利用者の集中が阻害されることになる。例えば、静電容量タイプのタッチパネルは、指や指と同等の静電的な導電性のものだけに反応するため、通常のホワイトボードマーカーのペン先や黒板消しには反応しない。この静電容量タイプのタッチパネルを使用することで、ホワイトボードマーカーでの書き込みと指での操作を両立することができる。ホワイトボードマーカーのキャップやペンのお尻の部分を指と同等の静電的な導電性を持つように加工し、タッチパネルの操作を可能にすることも考えられる。
【００６８】
コンピュータの操作においては、ＵＲＬ（Ｕｎｉｆｏｒｍ  Ｒｅｓｏｕｒｃｅ  Ｌｏｃａｔｏｒ）のようなテキスト情報の入力が必要になる場合が考えられる。そのような場合、前述のタッチパネルを用いて、画面上に表示されるソフトウェアキーボードを操作してテキスト情報を入力する方法が考えられる。しかし、ソフトウェアキーボードの操作に慣れていない利用者が多いと考えられるため、画面上で操作は可能であるものの利用者の集中を阻害してしまう可能性が高い。
【００６９】
コンピュータへのテキスト情報の入力においては通常はキーボード装置が用いられており、ユーザが慣れているキーボード装置を使用することで集中を阻害しないようにすることが可能である。キーボード装置を使用する際にも、利用者の集中を阻害しないようにするためには、その設置位置が非常に重要となる。例えば、キーボードの操作のために利用者がホワイトボードの前を離れなければならなかったり、キーボードを探さなくてはならなかったりすると、利用者の集中が阻害されることになるためである。
【００７０】
図７は、キーボード装置の設置例を示す図である。この図の例では、キーボード装置６０１は描画ボード３０１に取り付けられたパネルディスプレイ部１０１の下方向に位置するように、描画ボード３０１の下部に取り付けられている。このような位置に設置することにより、利用者は画面を見ていた位置から移動することなくキーボード装置６０１を操作することができるようになる。キーボード装置６０１の取り付け方法としては、キーボード装置６０１そのものにホワイトボードへの取り付け部を設ける方法も考えられるが、キーボード装置６０１を載せるトレイのような設置台を描画ボード３０１に取り付けられるようにし、その設置台の上にキーボード装置６０１を設置する方法も考えられる。
【００７１】
上記では、キーボード装置について説明を行ったが、画面上のポインティング操作を行うマウス装置についても同様である。ポインティング操作については、タッチパネルを用いることもできるが、キーボード装置を設置する際にはその横にマウス装置を設置するほうがユーザにとっては操作がしやすいと考えられる。これは、通常、キーボードを使用してテキスト情報の入力操作をおこなう際にはポインティング操作はキーボード装置の横に置かれたマウス装置を使うのが通常だからである。マウス装置の代わりに非特許文献２に示すようなタッチパッド機能をキーボード装置に付加してポインティング操作を行うことも考えられる。
【００７２】
なお、本発明の装置を実現する際には、電源ケーブルやキーボードケーブルなどのケーブル類がホワイトボード等の描画器具の描画領域にかからないようにすることが重要である。例えば、図３に示すような設置を行うことを想定した場合には、電源ケーブルのコネクタの位置を表示装置の上部にし、ケーブルをホワイトボードの裏側で配線できるようにすることなどが考えられる。
【００７３】
以上好ましい実施の形態をあげて本発明を説明したが、本発明は必ずしも、上記実施の形態に限定されるものでなく、その技術的思想の範囲内において様々に変形して実施することができる。
【符号の説明】
【００７４】
１００：パネルディスプレイ型表示装置
１０１：パネルディスプレイ部
１０２：ボード取り付け部
１０３：固定ネジ部
３０１：描画ボード
４０２：ボード取り付け部
６０１：キーボード装置
【図１】
2011076307.tif 000003
【図２】
2011076307.tif 000004
【図３】
2011076307.tif 000005
【図４】
2011076307.tif 000006
【図５】
2011076307.tif 000007
【図６】
2011076307.tif 000008
【図７】
2011076307.tif 000009